(57)【要約】      （修正有）【課題】設備の小型化及び総コストの低減を可能とする窒素含有排水の高負荷硝化ができる排水処理装置と方法を提供すること。【解決手段】硝化菌を付着させた担体５を充填した密閉可能な硝化槽２と、気相部１２に高濃度酸素ガスの供給ライン１０と、１２からの排気ガスを排出する排出ライン１１と、２内の１２の気体を液相中に曝気させるブロワ９と散気装置８を有する曝気手段１５とを備えた、排水中のＮＨ４−Ｎ及び／又はＯ−Ｎを生物学的にＮＯＸに酸化処理する排水処理装置であって、２内の液相中の溶存酸素検出手段１３と、１３の検出結果より、溶存酸素濃度が設定値に維持されるように１５の曝気風量を制御する手段１６とを備え、２内の１２の酸素濃度を検出する酸素検出手段１４と、１４の検出結果より、前記酸素濃度が所定範囲に維持されるように１０の高濃度酸素ガス供給量を制御する手段１８とを備える。【選択図】図１
2011212670.tif 000002
【特許請求の範囲】
【請求項１】
硝化菌を付着させた担体を充填した密閉可能な硝化槽と、該硝化槽の気相部に高濃度酸素ガスを供給する酸素ガス供給ラインと、前記硝化槽の気相部からの排気ガスを排出する排出ラインと、前記硝化槽内の気相部の気体を液相中に導いて曝気させるブロワと散気装置を有する曝気手段とを備えた、排水中のアンモニア性窒素及び／又は有機性窒素を生物学的に硝酸性窒素及び／又は亜硝酸性窒素に酸化処理する排水処理装置であって、前記硝化槽内の液相中の溶存酸素濃度を検出する溶存酸素検出手段と、該溶存酸素検出手段による検出結果に基づいて、前記溶存酸素濃度が設定値に維持されるように前記曝気手段の曝気風量を制御する手段とを備えると共に、前記硝化槽内の気相部の気体又は前記排気ガスの酸素濃度を検出する酸素検出手段と、該酸素検出手段による検出結果に基づいて、前記酸素濃度が所定範囲に維持されるように前記酸素ガス供給ラインの酸素ガス供給量を制御する手段とを備えることを特徴とする排水処理装置。
【請求項２】
硝化菌を付着させた担体を充填した密閉可能な硝化槽と、該硝化槽の気相部に高濃度酸素ガスを供給する酸素ガス供給ラインと、前記硝化槽の気相部からの排気ガスを排出する排出ラインと、前記硝化槽内の気相部の気体を液相中に導いて曝気させるブロワと散気装置を有する曝気手段とを備えると共に、前記硝化槽の前段に脱窒槽を設け、該脱窒槽に前記硝化槽の液相及び／又は汚泥を返送する返送ラインを設けた、排水中のアンモニア性窒素及び／又は有機性窒素を生物学的に硝酸性窒素及び／又は亜硝酸性窒素に酸化処理して、脱窒処理する排水処理装置であって、前記硝化槽内の液相中の溶存酸素濃度を検出する溶存酸素検出手段と、該溶存酸素検出手段による検出結果に基づいて、前記溶存酸素濃度が設定値に維持されるように前記曝気手段の曝気風量を制御する手段とを備えると共に、前記硝化槽内の気相部の気体又は前記排気ガスの酸素濃度を検出する酸素検出手段と、該酸素検出手段による検出結果に基づいて、前記酸素濃度が所定範囲に維持されるように前記酸素ガス供給ラインの酸素ガス供給量を制御する手段とを備えることを特徴とする排水処理装置。
【請求項３】
前記硝化槽が、隔壁によって仕切られた複数の槽からなり、該複数の槽の槽毎に、液相中の溶存酸素濃度を検出する溶存酸素検出手段と、ブロワと散気装置を有する曝気手段と、前記溶存酸素濃度が槽毎に設定値に維持されるように、前記曝気手段の曝気風量を制御する手段とを備えたことを特徴とする請求項１又は２に記載の排水処理装置。
【請求項４】
前記硝化槽が、隔壁によって仕切られた複数の槽からなり、該複数の槽の槽毎に、液相中の溶存酸素濃度を検出する溶存酸素検出手段と、散気手段と該散気手段の少なくとも１つに接続している流量調節弁とを有する曝気手段とを備え、該槽毎の曝気手段に接続する１個のインバータ制御されるブロワを有し、該ブロワの風量及び／又は前記散気手段に接続する流量調節弁の開度により前記溶存酸素濃度が槽毎に設定値に維持されるように、前記曝気手段の曝気風量を制御する手段を備えたことを特徴とする請求項１又は２に記載の排水処理装置。
【請求項５】
前記液相中の溶存酸素濃度の設定値は、２〜１２ｍｇ／Ｌであり、また、前記気相部又は排気ガスの酸素濃度の所定範囲は、３０〜７０％（容量）であることを特徴とする請求項１〜４のいずれか１項に記載の排水処理装置。
【請求項６】
硝化菌を付着させた担体を充填した密閉可能な硝化槽の気相中に、高濃度酸素ガスを供給し、前記硝化槽の気相中から排気ガスを排出させると共に、前記硝化槽内の気相中の気体をブロワと散気装置を介して液相中に曝気させる、排水中のアンモニア性窒素及び有機性窒素を生物学的に硝酸性窒素及び亜硝酸性窒素に酸化処理する排水処理方法において、前記硝化槽内の液相中の溶存酸素濃度を検出し、該検出結果に基づいて前記溶存酸素濃度が設定値に維持されるように、前記液相中に曝気させる曝気風量を制御すると共に、前記硝化槽内の気相部の気体又は前記排気ガスの酸素濃度を検出し、該検出結果に基づいて前記酸素濃度が所定範囲に維持されるように、前記硝化槽の気相部に供給する酸素ガス供給量を制御することを特徴とする排水処理方法。
【請求項７】
硝化菌を付着させた担体を充填した密閉可能な硝化槽の気相中に、高濃度酸素ガスを供給し、前記硝化槽の気相中から排気ガスを排出させ、前記硝化槽内の気相中の気体をブロワと散気装置を介して液相中に曝気させると共に、前記硝化槽の前段に設けた脱窒槽に、前記硝化槽の液相及び／又は汚泥を返送して、排水中のアンモニア性窒素及び有機性窒素を生物学的に硝酸性窒素及び亜硝酸性窒素に酸化処理して、脱窒処理する排水処理方法において、前記硝化槽内の液相中の溶存酸素濃度を検出し、該検出結果に基づいて前記溶存酸素濃度が設定値に維持されるように、前記液相中に曝気させる曝気風量を制御すると共に、前記硝化槽内の気相部の気体又は前記排気ガスの酸素濃度を検出し、該検出結果に基づいて前記酸素濃度が所定範囲に維持されるように、前記硝化槽の気相部に供給する酸素ガス供給量を制御することを特徴とする排水処理方法。
【請求項８】
前記液相中の溶存酸素濃度の設定値は、２〜１２ｍｇ／Ｌであり、また、前記気相部又は排気ガス中の酸素濃度の所定範囲は、３０〜７０％（容量）であることを特徴とする請求項６又は７に記載の排水処理方法。
【発明の詳細な説明】
【技術分野】
【０００１】
本発明は、アンモニア性窒素及び有機性窒素を含む排水を生物学的に酸化処理する排水処理装置及び排水処理方法に関する。
【背景技術】
【０００２】
アンモニア性窒素を含む排水を生物学的に処理する方法として、硝化菌によってアンモニア性窒素を硝酸性窒素、亜硝酸性窒素に酸化する処理が、一般的に行われている。硝化反応には、酸素が必要であり、酸素源として空気が用いられている（例えば、特許文献１）。  
アンモニア性窒素及び有機性窒素の硝化反応において、１ｋｇの窒素を硝化するには、約４．６ｋｇもの酸素が必要であるため、空気を酸素源とした従来の排水処理方法においては、硝化槽に大量の空気を供給しなければならない。さらに、硝化を効率的に進めるには、有機物の酸化分解処理に比べて混合液のＤＯを高めに維持する必要があり、酸素濃度が２１％の空気を用いた場合は、設備の小型化や空気供給設備等の動力コストの低減には限界があった。このような問題点を解決する方法として、空気よりも酸素濃度を高めた酸素富化空気を硝化反応に必要な酸素源として用いる酸素活性汚泥法が採用されている（例えば、特許文献２）。
【０００３】
高負荷条件で硝化処理を行うためには、酸素の供給能力を上げると共に、硝化槽内に多量の硝化菌を保持しなければならない。そのためには、ＤＯを高く維持して汚泥中の硝化菌の活性を高めると共に、混合液の汚泥濃度（ＭＬＳＳ濃度）を高くしなければならない。酸素活性汚泥法の場合、ＤＯを高く設定できるメリットはあるものの、ＭＬＳＳ濃度をむやみに上げると、標準的な活性汚泥法と同様に、沈殿池で汚泥と処理水を分離しにくくなるといった問題が生じる。この固液分離に膜を用いても良いが、高額な膜分離システムが必要になると共に、膜のつまりなど解決・改良すべき課題も多い。さらに、ＭＬＳＳ濃度を上げることで曝気槽や沈殿池でのスカム発生を助長し、運転管理が煩雑になるといった問題点もある。これらの問題を解決するために、微生物を固定した担体を用いる方法が、硝化処理では広く普及しているのである。
酸素供給能力に優れた酸素活性汚泥法と、硝化能力が優れた担体硝化法を組み合わせることによって、コンパクトな設備で硝化処理を進めることができ、装置構造や方法が種々検討されている（例えば、特許文献２）。
【０００４】
酸素活性汚泥では、硝化槽の曝気方法として表面曝気法が採用されている。しかし、特許文献２にも記載があるとおり、曝気用の攪拌によって、硝化担体が磨耗したり、崩壊するといった問題が生じる場合があった。
担体の損耗の問題を解決するために、表面曝気法のかわりに循環ブロワを介して高濃度酸素ガスを曝気槽内で循環散記する方法（ガス循環散気法）があり、この方法で硝化を行っている例もある（例えば、非特許文献１）。
しかしながら、ブロワを用いて循環散気する方法は、表面曝気法に比べて実用例も少なく、運転を安定化させたり、効率的に運用するための実施条件の検討が十分なされてこなかった。特に、酸素活性汚泥法では、使用する酸素富化空気や純酸素などの空気よりも酸素濃度が高いガス（以下、高酸素ガス）は、生成するために多大のコストがかかる。そして、酸素活性汚泥法の特徴である小さな曝気槽、すなわち、水理学的滞留時間（ｈｙｄｒａｕｌｉｃ  ｒｅｔｅｎｔｉｏｎ  ｔｉｍｅ、ＨＲＴ）の短い条件で効率良く硝化反応を進めるための処理装置、処理方法も十分確立できていない。
【先行技術文献】
【特許文献】
【０００５】
【特許文献１】特開２０００−３１２８９８号公報
【特許文献２】特開平８−１７３９８３号公報
【非特許文献】
【０００６】
【非特許文献１】住山ら、第３０回下水道研究発表会講演集，ｐ５２４（１９９３）
【発明の開示】
【発明が解決しようとする課題】
【０００７】
本発明は、上記事情に鑑みてなされたものであり、硝化槽を高負荷、小型にすること及び省エネルギー化が可能な窒素含有排水を生物学的に酸化処理する排水処理装置と方法を提供することを課題とする。
【課題を解決するための手段】
【０００８】
上記課題を解決するために、本発明では、硝化菌を付着させた担体を充填した密閉可能な硝化槽と、該硝化槽の気相部に高濃度酸素ガスを供給する酸素ガス供給ラインと、前記硝化槽の気相部からの排気ガスを排出する排出ラインと、前記硝化槽内の気相部の気体を液相中に導いて曝気させるブロワと散気装置を有する曝気手段とを備えた、排水中のアンモニア性窒素及び／又は有機性窒素を生物学的に硝酸性窒素及び／又は亜硝酸性窒素に酸化処理する排水処理装置であって、前記硝化槽内の液相中の溶存酸素濃度を検出する溶存酸素検出手段と、該溶存酸素検出手段による検出結果に基づいて、前記溶存酸素濃度が設定値に維持されるように前記曝気手段の曝気風量を制御する手段とを備えると共に、前記硝化槽内の気相部の気体又は前記排気ガスの酸素濃度を検出する酸素検出手段と、該酸素検出手段による検出結果に基づいて、前記酸素濃度が所定範囲に維持されるように前記酸素ガス供給ラインの酸素ガス供給量を制御する手段とを備えることを特徴とする排水処理装置としたものである。
【０００９】
また、本発明では、硝化菌を付着させた担体を充填した密閉可能な硝化槽と、該硝化槽の気相部に高濃度酸素ガスを供給する酸素ガス供給ラインと、前記硝化槽の気相部からの排気ガスを排出する排出ラインと、前記硝化槽内の気相部の気体を液相中に導いて曝気させるブロワと散気装置を有する曝気手段とを備えると共に、前記硝化槽の前段に脱窒槽を設け、該脱窒槽に前記硝化槽の液相及び／又は汚泥を返送する返送ラインを設けた、排水中のアンモニア性窒素及び／又は有機性窒素を生物学的に硝酸性窒素及び／又は亜硝酸性窒素に酸化処理して、脱窒処理する排水処理装置であって、前記硝化槽内の液相中の溶存酸素濃度を検出する溶存酸素検出手段と、該溶存酸素検出手段による検出結果に基づいて、前記溶存酸素濃度が設定値に維持されるように前記曝気手段の曝気風量を制御する手段とを備えると共に、前記硝化槽内の気相部の気体又は前記排気ガスの酸素濃度を検出する酸素検出手段と、該酸素検出手段による検出結果に基づいて、前記酸素濃度が所定範囲に維持されるように前記酸素ガス供給ラインの酸素ガス供給量を制御する手段とを備えることを特徴とする排水処理装置としたものである。
【００１０】
前記排水処理装置において、前記硝化槽が、隔壁によって仕切られた複数の槽からなり、該複数の槽の槽毎に、液相中の溶存酸素濃度を検出する溶存酸素検出手段と、ブロワと散気装置を有する曝気手段と、前記溶存酸素濃度が槽毎に設定値に維持されるように、前記曝気手段の曝気風量を制御する手段とを備えたこととするか、又は、前記硝化槽が、隔壁によって仕切られた複数の槽からなり、該複数の槽の槽毎に、液相中の溶存酸素濃度を検出する溶存酸素検出手段と、散気手段と該散気手段の少なくとも１つに接続している流量調節弁とを有する曝気手段とを備え、該槽毎の曝気手段に接続する１個のインバータ制御されるブロワを有し、該ブロワの風量及び／又は前記散気手段に接続する流量調節弁の開度により前記溶存酸素濃度が槽毎に設定値に維持されるように、前記曝気手段の曝気風量を制御する手段を備えたこととすることができる。
【００１１】
さらに、本発明では、硝化菌を付着させた担体を充填した密閉可能な硝化槽の気相中に、高濃度酸素ガスを供給し、前記硝化槽の気相中から排気ガスを排出させると共に、前記硝化槽内の気相中の気体をブロワと散気装置を介して液相中に曝気させる、排水中のアンモニア性窒素及び有機性窒素を生物学的に硝酸性窒素及び亜硝酸性窒素に酸化処理する排水処理方法において、前記硝化槽内の液相中の溶存酸素濃度を検出し、該検出結果に基づいて前記溶存酸素濃度が設定値に維持されるように、前記液相中に曝気させる曝気風量を制御すると共に、前記硝化槽内の気相部の気体又は前記排気ガスの酸素濃度を検出し、該検出結果に基づいて前記酸素濃度が所定範囲に維持されるように、前記硝化槽の気相部に供給する酸素ガス供給量を制御することを特徴とする排水処理方法としたものである。
【００１２】
また、本発明では、硝化菌を付着させた担体を充填した密閉可能な硝化槽の気相中に、高濃度酸素ガスを供給し、前記硝化槽の気相中から排気ガスを排出させ、前記硝化槽内の気相中の気体をブロワと散気装置を介して液相中に曝気させると共に、前記硝化槽の前段に設けた脱窒槽に、前記硝化槽の液相及び／又は汚泥を返送して、排水中のアンモニア性窒素及び有機性窒素を生物学的に硝酸性窒素及び亜硝酸性窒素に酸化処理して、脱窒処理する排水処理方法において、前記硝化槽内の液相中の溶存酸素濃度を検出し、該検出結果に基づいて前記溶存酸素濃度が設定値に維持されるように、前記液相中に曝気させる曝気風量を制御すると共に、前記硝化槽内の気相部の気体又は前記排気ガスの酸素濃度を検出し、該検出結果に基づいて前記酸素濃度が所定範囲に維持されるように、前記硝化槽の気相部に供給する酸素ガス供給量を制御することを特徴とする排水処理方法としたものである。
前記排水処理装置及び方法において、前記液相中の溶存酸素濃度の設定値は、２〜１２ｍｇ／Ｌであり、また、前記気相部又は排気ガス中の酸素濃度の所定範囲は、３０〜７０％（容量）とするのがよい。
【発明の効果】
【００１３】
本発明の排水処理装置及び排水処理方法によれば、純酸素又は酸素富化ガスを硝化反応による排水処理に用いることができるので、排水処理の効率化、すなわち硝化槽の高負荷化ないしは小型化が可能である。しかも、必要量のみの純酸素又は酸素富化ガスを供給されるので、ランニングコストも低く抑えることができ、総コストを低減することが可能となる。
【図面の簡単な説明】
【００１４】
【図１】本発明の排水処理装置の一例を示すフロー構成図。
【図２】本発明の排水処理装置の他の例を示すフロー構成図。
【図３】本発明の排水処理装置の他の例を示すフロー構成図。
【図４】本発明の排水処理装置の他の例を示すフロー構成図。
【図５】本発明者の制御動作の一例を示すフローチャート。
【図６】ＤＯと硝化性能の関係を示すグラフ。
【図７】従来の排水処理装置の一例を示すフロー構成図。
【発明を実施するための形態】
【００１５】
以下、本発明について詳細に説明する。
本発明では、まず、従来から実績のある表面曝気法の問題点を明らかにするため、磨耗しにくい形状、材質の担体を用いて、表面曝気法とガス循環散気法の比較実験を行った。その結果、表面曝気法では、担体自体の損耗はない場合でも、曝気用の攪拌による硝化菌の担体表面への付着阻害が原因と推定される硝化性能不良が生じることをつきとめた。一方、これと同じ条件で曝気方式のみガス循環散気法にして行った実験では、良好な硝化性能が得られ、さらに、図５に示すとおり、硝化性能が硝化槽混合液のＤＯに依存することも判明した。これらの知見をもとに、ＨＲＴの短い条件で効率良く硝化反応を進めるためには、曝気をガス循環散気で行うと共に、必要な硝化速度に対応したＤＯ値に調整することが必須であること、さらに、この方式を実用化するためには、従来の表面曝気方式と同等以上の高濃度酸素ガスの利用効率（酸素利用効率）を発揮できる処理装置、処理方法の確立が必要不可欠であるという考えに至った。
【００１６】
混合液のＤＯを調整する手法として、標準活性汚泥法等で広く用いられているＤＯ値による散気量の制御方法に着目し、これを酸素活性汚泥法に適用することを考えた。しかしながら、標準活性汚泥法のように単純な制御ではうまくいかなかった。すなわち、ＤＯを安定させるために必要な散気量は、空気を一過性で散気する場合には、排水の負荷変動や水温によって変化するのみであるのに対して、酸素活性汚泥法では、供給する高濃度酸素ガス量によって散気するガスの酸素濃度が変化する。この濃度変化によって必要な散気量が大きく変化する上、ガスを繰り返し循環散気するので、排水の負荷条件、水質条件による変化は一過性の散気とは比べ物にならないほど大きいことが判明した。さらに、密閉可能な硝化槽を用いた酸素活性汚泥法では、最下流の硝化槽の気相部の酸素濃度が変動したり、濃度が上昇すると、排ガスの酸素濃度も安定せず、未使用の酸素を系外に多く排出することにつながり、目的とする酸素利用効率を得ることができなかった。
【００１７】
そこで、硝化槽気相部の酸素濃度を安定させることと、混合液のＤＯを安定させることの両方が必須と考えて、循環散気方式の場合は、硝化槽気相部及び排ガスの酸素濃度で高濃度酸素ガスを制御供給することが好適であることを見出した。
本発明には、図１に示すような装置が使用できる。この装置は、硝化菌を表面に固定した硝化担体を投入した密閉型の硝化槽からなり、硝化槽には、酸素供給ライン、排ガスラインが接続されている。硝化槽の曝気は、循環ブロワと散気装置を用いたガス循環方式で行われ、散気量は硝化槽ＤＯで制御供給される。また、高濃度酸素ガス供給量は、硝化槽の気相部もしくは排ガスの酸素濃度で制御供給される。
【００１８】
担体の硝化性能は、硝化槽のＤＯに大きく依存し、硝化性能を高く維持するのに２ｍｇ／Ｌ以上のＤＯが必要であった。一方、ＤＯが高いほど硝化性能は上昇するため、なるべく高めのＤＯに設定した方が良いのであるが、ＤＯが１２ｍｇ／Ｌを超えると硝化性能は頭打ちになる（図６参照）ことから、好ましい硝化槽液相部の混合液のＤＯ条件は、２〜１２ｍｇ／Ｌである。また、ＤＯの依存性が高いということは、負荷条件や必要とする処理性能に合わせて最適なＤＯ値に設定することで、硝化性能を任意に調整できることを意味する。特に、負荷変動がある場合には、負荷が低い時間帯にはＤＯ値を低く設定し、逆に、負荷が高い時間帯にはＤＯ値を高く設定することで、低い動力コストで安定した硝化性能を発揮することができる。
【００１９】
このように、アンモニア性窒素あるいは有機性窒素負荷の時間経過に伴う変動パターンに基づいて、予め硝化槽混合液の溶存酸素濃度の上下限設定値を変更すれば良い。負荷は、排水流入量と排水濃度の積、（排水流入量）×（排水の濃度）で計算されるので、排水流入量と排水濃度の双方を指標とするのであるが、排水流入量の変動が小さい場合は排水濃度を指標とすれば良いし、逆に、排水濃度の変動が小さい場合は排水流入量を指標とすれば良い。ここで、指標とする液相は排水に限らない。すなわち、負荷変動に追随して、硝化槽の混合液や沈殿池の水、処理水といった液相のアンモニア性窒素濃度も変化するので、これらの液相の水質の時間経過に伴う変動パターンに基づいて予め硝化槽混合液の溶存酸素濃度の上下限設定値を変更しても良い。
【００２０】
指標とする液相については、アンモニア性窒素濃度変化が把握できるものであれば制限はないが、負荷変動パターンとの追随をよくするため、流入してくる処理対象の排水や、硝化反応が進行している硝化槽が好ましい。さらには、アンモニア性窒素あるいは有機性窒素負荷、もしくは、液相のアンモニア性窒素濃度を測定する検出結果に基づいて、硝化槽混合液の溶存酸素濃度の上下限設定値を変更する機能を有した制御装置を用いて自動制御しても良い。これらの検出器の例としては、アンモニア濃度計、窒素濃度計などが用いられる。また、負荷変動については、濃度と共に水量の変化が影響するので、これらの濃度計と共に水量計を併用すれば良いし、濃度と水量を各々測定して負荷を計算して示す負荷計などを用いても良い。もちろん、アンモニア性窒素あるいは有機性窒素負荷、もしくは、液相のアンモニア性窒素濃度を把握・予測できる検出手段であれば、これらの検出器に限定されない。
【００２１】
酸素活性汚泥法で循環散気を行う場合、硝化槽混合液のＤＯを調整する手法として主に二つの方法がある。一つは、混合液のＤＯ値で散気量を制御する方法、もう一つは、硝化槽気相部への酸素の供給量を制御する方法である。前者は、単純にＤＯが低下すると散気量が増え、逆に、ＤＯが上昇すると散気量が減ることによって、ＤＯを調整・安定化する。後者は、酸素の供給量によって硝化槽気相部、すなわち、散気するガスの酸素濃度を変化させることによって、硝化槽ＤＯを調整する。どちらの方法でも、混合液のＤＯを目的とする値に調整することは可能なのであるが、前者では、酸素濃度低下時に多量の散気が必要となることから、これを見込んで過大なブロワを必要とし、動力コストもかさむ。後者は、必要酸素量が多くなると散気の酸素濃度が上がるため、排ガスの酸素濃度もこれに追随して上昇し、酸素利用効率が低下する。両者ともそれぞれの課題があり、かつ、単独での制御では、ブロワ動力の増加、あるいは、酸素利用効率の低下により、いずれもランニングコストの増加を招いた。これらすべての問題を解決するために、硝化槽気相部の酸素濃度を安定させ、かつ、前者の混合液のＤＯ値で散気量を制御するという方法を編み出し、本発明の方法に至った。
【００２２】
ブロワの散気量を制御するための、硝化槽の混合液のＤＯ濃度の測定場所は、ブロワの運転や硝化槽ＤＯの安定化が可能であれば制限はないが、硝化槽が多段の場合は、各々の硝化槽にＤＯ計とブロワを設け、個別に、ＤＯでブロワを制御させることが好ましい。これは、硝化を効率よく進めるためには、すべての硝化槽で適切なＤＯに維持する必要があるためである。ブロワの制御は、ＤＯ値の検出結果を基にブロワの回転数をインバータで増減したり、風量調節弁の開度調整によって行われる。
本発明に用いるＤＯ計は、混合液や排水の成分によって測定に影響を受けず、長期間の使用に耐えうるものであれば制限はないが、維持管理性が良い事から蛍光式溶存酸素計が好適である。
【００２３】
硝化槽気相部の酸素濃度を安定させるために従来から採用されている一般的な方法は、硝化槽気相部の圧力変化や排ガスの流量変化を基にして、高濃度酸素ガスを供給制御する方法である。これは、硝化槽に供給された酸素は、微生物反応あるいは呼吸によって硝酸性窒素及び亜硝酸性窒素となって液相に移行したり、酸素に比較して水に溶けやすい二酸化炭素となって一部が水に吸収されるために、微生物の作用を受けることによって供給するガスの容積よりも、排出されるガスの容積が減ることを利用したものである。これらの方法は、表面曝気法の装置では一般に適用され、安定して運転されているケースもあるが、水量の変動等、圧力変化に影響する他の因子によって運転が不安定になる場合がある。さらに、循環散気法にこの方法を適用すると、ガスの動きと圧力変化が表面曝気法よりも顕著なために安定した運転ができない。
【００２４】
そこで、本発明の方法では、硝化槽気相部もしくは排ガスの酸素濃度の測定結果を基に、高濃度酸素ガスを制御供給している。具体的には、例えば、気相部の酸素濃度が下限値を下回ったら、酸素ガス供給管（図１の１０）に設置した流量調節弁（図１の１７）を開けるか、または、開度を大きくすることで供給酸素量を増やすことができる。逆に、酸素濃度が上限値を上回ったら、酸素ガス供給管に設置した流量調節弁を閉じるか、又は、開度を小さくすることで供給酸素量を減らすことができる。この方法では、硝化槽気相部の圧力変動の影響を受けないばかりか、気相部の酸素濃度を任意に設定できるため、ブロワの運転や硝化槽ＤＯの安定化に寄与するだけでなく、酸素利用効率も任意に調整し、安定的・効率的な運転ができる。
高濃度酸素ガス供給量を制御するための酸素濃度の測定場所は、ブロワの運転や硝化槽ＤＯの安定化と、酸素利用効率の調整が可能であれば制限はないが、酸素利用効率を調整し易いことから、最下流の硝化槽の気相部もしくは排ガスの酸素濃度で制御するのが好ましい。
【００２５】
硝化槽気相部ガスもしくは排ガスの酸素濃度を設定することによって、目標とする酸素利用効率を容易に得ることができるが、一般的に酸素活性汚泥法では８０〜９０％程度の酸素利用効率を要求されるので、最下流の硝化槽気相部ガスもしくは排ガスの酸素濃度を３０％〜７０％程度、望ましくは４０％〜６０％程度に制御することで、８０％以上の酸素利用効率を得られることが示された。この条件は使用する高濃度酸素ガスの濃度にもよるが、３０％以下の場合、少ない散気量で高いＤＯを維持するという酸素法の利点を発揮することができず、逆に、７０％以上の場合、排ガスの酸素濃度が高くなりすぎて酸素利用効率が低下した。
本発明に用いる酸素濃度計は、循環散気するガスや排ガスの成分によって測定に影響を受けることなく、長期間の使用に耐えうるものであれば制限はないが、対象ガスに高濃度で含まれる二酸化炭素の影響を受けにくいジルコニア酸素濃度計、磁気式酸素濃度計、赤外線式酸素濃度計が好適である。
【００２６】
本発明の方法に使用する高濃度酸素ガスは、空気よりも酸素濃度を高めた任意の酸素濃度のガスを用いることができる。このようなガスの例としては、酸素富化装置を用いて酸素ガス濃度を高めた酸素富化空気や、酸素濃度が１００％に近い純酸素ガスが挙げられる。このような高濃度酸素ガスを硝化槽の気相部や、循環散気配管に直接供給することができる。循環散気配管に供給した場合は、硝化槽気相部の酸素濃度及び混合液のＤＯの応答性が若干速くなる効果が見られた。
本発明では、混合液に酸素濃度が高いガスを散気するのであるが、散気されて水面から出てきた排ガスも大気に比べて酸素濃度は高いので、この排ガスを大気放出するのではなく、ブロワを介して繰り返して液相に散気することによって酸素の利用効率を上げることができた。したがって、一旦散気されたガスを槽外にそのまま排出するのではなく、排ガスとして排出する分以外の大部分を、再度ブロワに供給して繰り返し散気できるような密閉可能な構造であれば良く、槽の形状、数、配置などに制限はない。槽構造を簡単にする場合は単槽でも良く、また、担体の流動性などを考慮して槽を複槽に分けても良い。槽の分割は原水の流入に対して、並行にしても直列にしても良いが、特に酸素の利用効率を上げる場合は、図２に示すような直列多段の構造とし、原水の流入側の槽の気相部もしくは循環散気のライン（１５）に高濃度酸素（１０）を供給し、気相の連通部を介して順次上流側の槽から下流側の槽にガスが流れるように配置し、最下流の水槽から排ガス（１１）を系外に排出する方法が最も効率的である。
【００２７】
本発明に用いる散気装置は、硝化担体の磨耗・破損、硝化菌の付着阻害を生じないもの、そして、硝化槽の水面から出てくるガスを吸引して繰り返し散気することから、汚泥ミストや粉塵等による目詰まりを生じにくいものであれば制限はなく、多孔管、ディスクディフューザ、スパージャなどが用いられる。また、循環ガス中の汚泥ミストや、ほこり、微細なごみなどを除去するためのミストセパレータ、ガスろ過気などをブロワの吸い込み側に設置することによって、より酸素移動効率の高い微細気泡性の散気装置を用いることもできる。このような散気装置の例としては、セラミック製又は合成樹脂製の散気板及び散気筒、メンブレン式の散気装置などが挙げられる。
また、ブロワは、密閉性と長時間の連続運転に支障がないものであれば制限はないが、ルーツブロワが好適である。
【００２８】
本発明に用いる担体は、担体の表面に硝化菌を付着させる結合固定化担体が適している。また、硝化菌の付着性が好く、また、処理に十分な量の硝化菌を保持することができ、流動性、耐久性が良ければ、形状、材質、物性に制限はないが、形状は表面積が大きいこと、耐摩耗性が良いことから、粒状、さらには、球状が好ましい。また、大きさは、直径１〜１０ｍｍの粒状が好く、材質はポリエチレングリコール（ＰＥＧ）又はポリエチレングリコールを含むものが好適である。また、比重は０．９０〜１．１の範囲であることが流動性の面で好ましい。
結合固定化担体が適しているのは、硝化槽内で自然発生的に硝化菌が担体に付着し生物膜を形成するものであり、本発明者らの研究によって、ｐＨ６以下、場合によっては５．５程度以下といった極めて低い条件にも、徐々に条件に順応して高い硝化性能を発揮できることが判明したためである。このことによって、ｐＨが低下しやすい酸素活性汚泥法でも中和処理を全くしないか、あるいは、少量のアルカリ剤によるｐＨ調整のみで硝化を進めることが可能となる。
【００２９】
本発明の対象排水は、下水や産業排水に限らず、アンモニア性窒素及び／又は有機性窒素を含む水であれば良く、含有濃度についても制限はない。例えば、硝化に必要なアルカリ度や、その他、硝化反応に必要なリンや鉄といった成分が不足している水の場合は、これらを添加すればよく、また、硝化反応を阻害する銅や硫化水素などが含まれる水については、除害処置を行うことで対象排水とすることができる。
循環散気はＤＯの供給だけでなく、担体を流動させる役割も持つのであるが、必要に応じて担体の流動性を維持するために攪拌機を併用しても良い。使用する攪拌機は、硝化担体の磨耗・破損、硝化菌の付着阻害を生じずに、硝化担体を流動させられるものであれば良い。
【００３０】
さらに、本発明者らが明らかにした低ｐＨ条件における硝化反応についての詳細な条件は、アルカリ度が重要であって、具体的には硝化槽のｐＨが５〜６であって、アルカリ度は最低限、硝化に必要な量、好ましくは、硝化槽のアルカリ度１０ｍｇ／Ｌ以上、さらに好ましくは硝化槽のアルカリ度３０ｍｇ／Ｌ以上となる条件であった。このような範囲に設定できれば、脱炭酸処理やｐＨ調整剤を使用する必要はなく、ｐＨがさらに低下したり、アルカリ度が不足する場合は、不足分に見合うだけのアルカリ剤を注入したり、必要な分の脱炭酸処理をすればよい。このほか、図２に示すとおり硝化槽の前段に脱窒工程を設けて、硝化槽の液相及び／又は汚泥を返送し脱窒反応によるアルカリ度の上昇を利用しても良い。
【００３１】
我々の研究では、下水やその他産業排水等種々の排水で、硝化槽の前段に脱窒槽を設け、返送汚泥分に相当する程度の循環式硝化脱窒を行うだけでも、薬品を用いずに、硝化槽のアルカリ度は十分好適範囲に保つことが可能であった。もちろん、硝化槽と脱窒槽に循環ラインを設けて循環させても良い。返送汚泥量を含んだ循環率は、原水量の０．３倍以上が好ましく、０．５以上がより好ましい。このように、脱窒工程を組み込むことによって、窒素除去の目的を達成するだけでなく、アルカリ度を好適に保つことによって硝化性能を安定させることを、薬品を用いずに実現できるのである。硝化槽の前段に脱窒槽を設置すること自体は、硝化脱窒方式として一般的な方法であるが、本発明の硝化担体を用いた酸素活性汚泥法の条件に対しては、アルカリ度を供給することで、低コストで性能を安定化させるという大きな役割を持つ。
【００３２】
硝化槽混合液の浮遊汚泥は、排水に共存するＢＯＤの除去や硝化性能を有している場合もあるので、担体と共に硝化槽に共存させる方が有利である。ただし、担体による硝化のみで処理を満足できる場合は、浮遊汚泥を用いなくても良い。このような場合は、返送汚泥ラインも不要であり、また、循環式硝化脱窒運転を行わない場合は、当然循環ラインも不要である。
本発明の方法によれば、高い硝化性能を発揮することができるため、硝化槽容量のコンパクト化が可能であり、ＨＲＴ１．４〜２ｈｒ程度の極めて短い滞留時間で処理性能を満足することができた。
硝化槽に設置する担体分離用のスクリーンは、担体を分離できる形状で担体を破損、磨耗するものでなければ制限はないが、酸素活性汚泥法では、硝化槽が密閉構造であるためにメンテナンス性の良い仕様のものが適している。本発明者らの研究の結果、特に洗浄用のノズルを設置し、回転することのできる円筒形の機械式スクリーンがもっとも好ましい仕様であることが判明した。
【００３３】
以下、図面を参照して本発明の好適な実施形態について詳細に説明する。
図１は、本発明の排水処理装置の一例を示すフロー構成図である。図１に示すように排水処理装置は、硝化菌を付着させた硝化担体５が貯留されている密閉可能な硝化槽２と、沈殿池３、酸素ガス供給ライン１０、排ガスライン１１と、原水供給ライン１、処理水流出ライン４を備えている。そして、酸素ガス供給ライン１０には流量調節弁１７が、排ガスライン１１には酸素濃度計１４がそれぞれ設置されている。
硝化槽２には、液面と硝化槽の天井部との間の硝化槽気相部ガス１２をブロワ９を介して循環散気するためのガス循環ライン１５と、溶存酸素濃度計１３を備えている。
さらに、本発明の排水処理装置には、制御装置が設けられている。制御装置１６は、溶存酸素濃度計１３の検出結果に基づいて、ブロワ９の散気量を制御する制御手段として機能する。ブロワ９の制御は、ＤＯ値の検出結果を基にブロワの回転数を増減したり、風量調節弁の開度調整によって行われる。一方、制御装置１８は、酸素濃度計１４の検出結果に基づいて、高濃度酸素ガスの流量調節弁１７の開閉操作もしくは開度を調整する制御手段として機能する。
【００３４】
次に、上述したような構成の排水処理装置を用いた排水処理方法について説明する。
まず、ライン１を経て、処理対象排水を硝化槽２に導入する。硝化槽２に導入された排水は、硝化槽２内の硝化菌が固定した担体と混合される。
次いで、ライン１０を経て高濃度酸素ガスが硝化槽２内に供給され、気相部１２を高濃度酸素で満たした状態とする。そして、ブロワ９を作動させることにより、気相部１２内のガスを一旦吸引し、このガスを硝化槽２内の散気管８に送り込んで、硝化槽２の混合液中に散気する。
このようにして、ライン１０から密閉可能な硝化槽２内へ供給された酸素は、空気に比してより効率的に硝化槽２内の混合液中に溶解する。
次いで、制御装置１８を稼動させ、酸素濃度計１４の指示値を基に流量調節弁１７が制御され、常に必要な量の酸素が供給されて、硝化槽気相部ガス１２の酸素濃度が安定する。さらに、制御装置１６を稼動させ、溶存酸素濃度計１３の指示値を基にブロワ９の散気量が制御され、常に必要な量の散気が行われ混合液の溶存酸素濃度が安定する。
【００３５】
次に、本発明の排水処理装置及び排水処理方法の別の例について、図２のフロー構成図をもとに説明する。なお、図２において、図１と同一又は相当部分には同一符号を付し、その詳細な説明は省略する。
図２は、硝化槽を隔壁で仕切って原水流入に対して直列の２段構造とし、硝化槽の前段に脱窒槽２０を備えている。硝化槽は隔壁によって液相、気相とも仕切られているが、液相は担体分離用のスクリーン２４を介して連通しており、一方気相にもガスの連通部２５がある。また、硝化槽には各々ガス循環ラインが備えられ、酸素供給ライン１０は第一硝化槽に接続されている。
脱窒槽２０は、導入された処理対象排水を、脱窒菌を主体とする活性汚泥を用いて生物処理するものであり、例えば、浮遊する活性汚泥を脱窒槽２０内に収容し、槽２０内の排水を攪拌する攪拌装置２１を備えている。
【００３６】
次に、図２の排水処理装置を用いた排水処理方法について説明する。
まず、ライン１を通して処理対象排水を脱窒槽２０に導入する。脱窒槽２０内に導入された排水は、活性汚泥と混合され、攪拌されることにより、原水から供給された有機物を水素供与体として、返送汚泥６から供給された硝酸性窒素及び亜硝酸性窒素を窒素ガスに分解する。
脱窒後の排水は、第一硝化槽２、第二硝化槽２’の順に送られ、硝化菌が付着した担体と混合されて硝化が進行する。
硝化後の排水は、沈殿池３に送られ、硝化後の排水から活性汚泥を沈殿分離する。活性汚泥を分離された上澄み排水は、処理水４として排出される。一方、沈殿分離された分離汚泥は、返送汚泥６ラインにより脱窒槽に返送される。また、余剰分の分離汚泥は、余剰汚泥ライン７から系外に排出される。
高濃度酸素ガスは、ライン１０から第一硝化槽２の気相部１２に供給され、気相部１２を高濃度酸素で満たされた状態とする。そして、ブロワ１０を作動させることにより、気相部１２内のガスを一旦吸引し、このガスを硝化槽２内の散気管８に送り込んで、硝化槽２内の排水中に曝気する。
【００３７】
次いで、第一硝化槽２から排出される残りの酸素ガスは、第二硝化槽２’の気相部１２’に供給され、気相部１２’を高濃度酸素で満たされた状態とする。そして、ブロワ１０’を作動させることにより、気相部１２’内のガスを一旦吸引し、このガスを硝化槽２’内の散気管８’に送り込んで、硝化槽２’内の排水中に曝気する。
次いで、制御装置１８を稼動させ、酸素濃度計１４の指示値を基に流量調節弁１７が制御され、常に必要な量の酸素が供給されて、硝化槽気相部ガス１２、１２’の酸素濃度が安定する。さらに、制御装置１６、１６’を稼動させ、溶存酸素濃度計１３、１３’の指示値を基に、ブロワ１０、１０’の散気量がそれぞれ制御され、常に必要な量の散気が行われ、硝化槽混合液の溶存酸素濃度が安定する。
【００３８】
このようにして、ライン１０から密閉可能な硝化槽２、２’内へ供給された酸素は、空気に比してより効率的に硝化槽２、２’内の排水中に溶解する。さらに、硝化槽を直列多段とし、上流側の槽に酸素を供給することで、上流側から効率よく酸素が利用されて、下流側に向かって酸素濃度は低くなり、排ガスとして系外に排出される酸素量を低く抑え、効率的に酸素を利用することができる。
高濃度酸素ガスを、ライン１０から第一硝化槽２の気相部１２に供給するというのは、効率良く酸素を利用することが目的であるから、この目的が達成できれば、高濃度酸素ガスの注入点やガスの流れは、第一硝化槽２に限定されるものではない。例えば、第二硝化槽２’の気相部でも、第一硝化槽２の気相部との境界付近に注入すれば、高濃度酸素ガスは、一部が第二硝化槽２’から第一硝化槽２にも供給され、効率的な運転は可能であった。
【００３９】
次に、図３の排水処理装置を用いた排水処理方法について説明する。水の流れは先述の図２の説明と同じである。
図２と異なる箇所を以下に説明する。図３においては、１台としたブロワ９を作動させることにより、第２硝化槽の気相部１２’内のガスを一旦吸引し、このガスを第一硝化槽２と第二硝化槽２’の排水中に曝気する。第一硝化槽２と第二硝化槽２’の各々の散気装置８及び８’に通じる配管には、各々流量調節弁２６及び２６’が付いている。第１硝化槽２には、溶存酸素濃度計１３、第２硝化槽２’には、溶存酸素濃度計１３’が設置してあり、各々の溶存酸素濃度計１３及び１３’の指示値により制御装置１６が稼動して、ブロワ９のインバータ周波数及び流量調節弁２６及び２６’の開度を調節することで各硝化槽の曝気風量を調節して、常に必要な量の散気が行われ硝化槽混合液の溶存酸素濃度が安定する。
このようにして、図２に示したフローと同等の制御を行いながら、ブロワ９を１台にしてブロワを複数槽で共有することで、機器の必要台数が削減されイニシャルコスト、メンテナンスコストの削減につながる。
【００４０】
次に、図４の排水処理装置を用いた排水処理方法について説明する。水の流れは先述の図２及び図３の説明と同じである。
図３と異なる箇所を以下に説明する。図４においては、風量調節弁２６を設置するのは、第一硝化槽と第二硝化槽どちらか一方の散気装置８もしくは８’に通じる配管にとする。すなわち、一方の硝化槽への曝気風量は、流量調節弁２６の開度を調節することで制御を行い、もう一方の硝化槽への曝気風量は、ブロワ９のインバータ周波数を調節することで制御を行う。各々の制御は、各槽に設置された溶存酸素濃度計１３及び１３’の指示値に基づく。
【００４１】
次に、図５を参照して、硝化槽混合液のＤＯと排ガスのＯ２濃度を調整する制御動作を具体的に説明する。図５において、まず、自動運転の開始により、ステップＳ１では、循環ブロワのインバータ制御及び／又は風量調節弁の開度調節による自動風量調整運転を行う。次いで、ステップＳ２に進行し、ここで、硝化槽ＤＯ値が適正でなければＳ１にもどり、循環ブロワの回転数をインバータで増減したり、風量調節弁の開度調整によって風量が増減して硝化槽ＤＯ値を適正にする。硝化槽ＤＯ値が適正であれば、ステップＳ３に進行し、ここで酸素ガス流入弁の自動開度調整運転を行う。次いで、ステップＳ４に進行し、ここで、排ガスＯ２濃度が適正でなければＳ３にもどり、酸素ガス流入弁の開閉操作もしくは開度調整により排ガスＯ２濃度を適正にする。そして、排ガスＯ２濃度が適正であればＳ１に戻る。このように、ステップＳ１〜Ｓ４を繰り返すことで、硝化槽混合液のＤＯと排ガスのＯ２濃度が安定維持することが可能となる。
【００４２】
さらに、ステップＳ２の判定の基となる適正ＤＯ値は、図６に示すようなＤＯと硝化速度の関係に基づき、アンモニア性窒素あるいは有機性窒素負荷、もしくは、液相のアンモニア性窒素濃度の時間経過に伴う変動パターンに対応した硝化速度が得られるようなＤＯになるように、予めＤＯのプログラムを設定しておいたり、アンモニア性窒素あるいは有機性窒素負荷、もしくは、液相のアンモニア性窒素濃度を測定する検出結果に基づいて、対応した硝化速度が得られるＤＯになるように硝化槽混合液の溶存酸素濃度の上下限設定値を変更する機能を有した制御装置を用いて自動制御することで、さらに動力コストを下げ、硝化性能をより安定化することができる。
以上、本発明の好適な実施形態について詳細に説明したが、本発明は上記実施形態に限定されないことは言うまでもない。
【実施例】
【００４３】
以下、本発明を実施例により具体的に説明し、実験で得られた結果を表２、表３に示す。
実施例１
図１に示したフローに基づく循環散気方式の実験装置（処理量１６５ｍ３／日、硝化槽容量１０ｍ３、ＨＲＴ  １．５ｈｒ、返送汚泥量８２．５ｍ３／日）に硝化担体を投入して、表１に示すアンモニア性窒素（ＮＨ４−Ｎ）濃度１６〜２５ｍｇ／Ｌ、有機性窒素（Ｏｒｇ−Ｎ）濃度３〜１１ｍｇ／Ｌの下水一次処理水（以下、原水）を対象に、処理実験を行った。
実験装置の仕様は次のとおりである。
酸素ガス発生装置      ：ＰＳＡ（ｐｒｅｓｓｕｒｅ  ｓｗｉｎｇ  ａｄｓｏｒｐｔｉｏｎ）方式の装置
ＤＯ計                ：蛍光式溶存酸素計
酸素濃度計            ：ジルコニア式酸素濃度
ブロワ                ：ルーツブロワ
散気装置              ：多孔管
担体                  ：球状ＰＥＧ担体
担体の充填率          ：２０％（硝化槽容積あたりの見かけ体積）
また、実験条件は次のとおりである。
供給した高濃度酸素ガスのＯ２濃度：８０〜９０％
高濃度酸素ガス供給量  ：２８〜５５Ｌ／ｍｉｎ
設定ＤＯ              ：７．５ｍｇ／Ｌ
設定排ガスＯ２濃度    ：４６％
曝気量                ：４１〜８６ｍ３／ｈ
【００４４】
結果は、徐々に担体に付着した硝化菌が馴養されて、処理水のＮＨ４−Ｎ濃度は徐々に低下し、処理開始２０日目には、０．２〜０．９ｍｇ／Ｌとなった。さらに、排ガスの酸素濃度によって高濃度酸素ガスの供給量を制御したため、水量変動、負荷変動、散気量によらずに、排ガスの酸素濃度４６％程度で一定となり、その結果、８５％という高い酸素利用効率を達成できた。なお、この間の硝化槽のｐＨは５．０〜５．２と低い値であったが、これは、少量の高濃度酸素ガスを注入させる密閉式であるため、硝化液の二酸化炭素分圧が高く、かつ、硝化の進行によってアルカリ度が消費されたためである（硝化槽のアルカリ度は１０〜２５ｍｇ／Ｌ）。また、硝化槽のＤＯは水量変動、負荷変動の影響を受けずに７．４〜７．７ｍｇ／Ｌで安定していた。これは、ＤＯ値による曝気量制御が上手く行われたためである。以上のとおり、低ｐＨ条件でも、ＤＯを安定維持させることによって良好な処理性能を発揮させることができた。
【００４５】
【表１】
2011212670.tif 000003
【００４６】
実施例２
図２に示したフローに基づく循環散気方式の実験装置（処理量１６５ｍ３／日、硝化槽容量１０ｍ３、ＨＲＴ  １．５ｈｒ、脱窒槽容量０．５ｍ３、返送汚泥量８２．５ｍ３／日）に硝化担体を投入して、表１に示すアンモニア性窒素（ＮＨ４−Ｎ）濃度１６〜２５ｍｇ／Ｌ、有機性窒素（Ｏｒｇ−Ｎ）濃度３〜１１ｍｇ／Ｌの下水一次処理水（以下、原水）を対象に、処理実験を行った。
実験装置の仕様は実施例１と同じであり、実験条件は次のとおりである。
供給した高濃度酸素ガスのＯ２濃度  ：８０〜９０％
高濃度ガス供給量                  ：２５〜５０Ｌ／ｍｉｎ
設定ＤＯ                          ：７．５ｍｇ／Ｌ
設定排ガスＯ２濃度                ：４６％
曝気量                            ：５６〜７７ｍ３／ｈ
徐々に担体に付着した硝化菌が馴養されて、処理水のＮＨ４−Ｎ濃度は徐々に低下し、処理開始２０日目には、０．２〜０．４ｍｇ／Ｌであり、実施例１よりもさらに良好な硝化性能であった。これは、脱窒反応によるアルカリ度の上昇により硝化槽のアルカリ度を常に３０ｍｇ／Ｌ以上に維持することができたためである。なお、本実施例においても８５％という高い酸素利用効率を達成した。
【００４７】
実施例３
水量計とアンモニア濃度計を用いてアンモニア性窒素の負荷量を算出し、この値をもとにして硝化槽混合液のＤＯ設定値を調整したこと以外は、実施例２と同じ条件で処理実験を行った。
水量計は電磁流量計、アンモニア濃度計はイオン電極方式の装置を用い、その他の仕様は実施例１と同じである。また、実験条件は次のとおりである。
供給した高濃度酸素ガスのＯ２濃度  ：８０〜９０％
高濃度ガス供給量                  ：１７〜５０Ｌ／ｍｉｎ
設定ＤＯ                          ：アンモニア性窒素負荷で設定ＤＯを調整
設定排ガスＯ２濃度                ：４６％
曝気量                            ：２６〜７７ｍ３／ｈ
本実施例では、高負荷時間帯に高ＤＯに維持されることで硝化性能が実施例２よりもさらに向上し、処理水のＮＨ４−Ｎ濃度は０．１〜０．２ｍｇ／Ｌとなった。一方、低負荷時間帯は、低ＤＯに維持されることで散気の動力を抑えられ、動力コストは実施例２よりも１割程度削減された。なお、本実施例においても酸素利用効率は８５％という高い酸素利用効率を達成した。
【００４８】
実施例４
図３に示したフローに基づく処理実験を行った。ブロワを１台とし、各硝化槽の散気装置入り口に流量調節弁を各々設けた。実験装置の仕様は実施例１と同じであり、実施例２と同じ条件で処理実験を行った。流量調節弁の仕様は以下の通りである。
流量調節弁：空気作動式グローブ弁
本実施例では、ブロワ台数を１台にしても、実施例１及び２と遜色なく、徐々に担体に付着した硝化菌が馴養されて、処理水のＮＨ４−Ｎ濃度は徐々に低下し、処理開始２０日目には、０．２〜０．５ｍｇ／Ｌであり、良好な硝化性能であった。本実施例においても、流量調節弁の開度及びブロワのインバータを制御することで安定して設定ＤＯ値７．５ｍｇ／Ｌを維持することができ、酸素利用効率も８５％を達成した。
ブロワを１台にした分、動力コストが減った。
【００４９】
実施例５
図４に示したフローに基づく処理実験を行った。実施例４と同じくブロワを１台として、更に流量調節弁を１個とした。実験装置の仕様は実施例１と同じであり、流量調節弁の仕様は実施例４と同じである。
本実施例では、ブロワを１台、流量調節弁を１個としたが、他の実施例と遜色なく安定した制御が可能であり、処理水のＮＨ４−Ｎ濃度は徐々に低下し、処理開始２０日目には、０．２〜０．４ｍｇ／Ｌであり、良好な硝化性能であった。本実施例においても、流量調節弁の開度及びブロワのインバータを制御することで安定して設定ＤＯ値７．５ｍｇ／Ｌを維持することができ、酸素利用効率も８５％を達成した。
ブロワを１台にした分と風量調節弁が１台になった分、動力コストが減った。
【００５０】
比較例１
高濃度酸素ガスの供給量を硝化槽気相部の圧力変化によって制御したこと以外は、実施例２と同じ条件で処理実験を行った。
実験条件は次のとおりである。
供給した高濃度酸素ガスのＯ２濃度  ：８０〜９０％
高濃度ガス供給量                  ：２２〜６６Ｌ／ｍｉｎ
設定ＤＯ                          ：７．５ｍｇ／Ｌ
設定排ガスＯ２濃度                ：成り行き
曝気量                            ：２８〜１２０ｍ３／ｈ
本比較例では、酸素が反応に利用されて硝化槽気相部の圧力が減少することを利用して高濃度酸素ガスの供給量を制御するものであるが、実際は水量変動と循環ブロワによる気相部の圧力変化の影響により制御がうまく働かず、排ガス酸素濃度が４２〜６０％と安定せず、酸素利用効率は６７〜７６％と低かった。ここで、酸素利用効率が９９％以上と見かけ上高い値を示す場合があったが、反応に必要な量の酸素が供給されなかった時間帯に相当し、制御が上手く機能しなかったことを示すものである。また、硝化液のＤＯによって散気量を制御したものの、気相部の酸素濃度が不安定であったことから制御しきれず、硝化槽のＤＯも安定させられなかった。その結果、処理水にＮＨ４−Ｎが０．２〜７ｍｇ／Ｌ残留し、処理性能が不十分であった。
【００５１】
比較例２
硝化液ＤＯによる散気量制御は行わず、かつ、高濃度酸素ガスの供給量を硝化槽の混合液のＤＯで制御したこと以外は、実施例２と同じ条件で実験を行った。
実験条件は次のとおりである。
供給した高濃度酸素ガスのＯ２濃度  ：８０〜９０％
高濃度ガス供給量                  ：４４〜８３Ｌ／ｍｉｎ
設定ＤＯ                          ：７．５ｍｇ／Ｌ
設定排ガスＯ２濃度                ：成り行き
曝気量                            ：５３ｍ３／ｈ
本比較例では、水量変動、負荷変動によらずＤＯは、設定値７．５ｍｇ／Ｌに対して、７．０〜８．１ｍｇ／Ｌの間で維持されたため、硝化性能も高く維持され、処理水ＮＨ４−Ｎは実施例２と同様に０．２〜０．４ｍｇ／Ｌ程度であった。しかし、ＤＯを安定させる代わりに気相部の酸素濃度及び排ガスの酸素濃度が５６〜６５％と安定せず、酸素利用効率は５７〜７１％と低く不安定であった。
【００５２】
比較例３
図７に示したフローに基づく表面曝気方式の実験装置（処理量１６５ｍ３／日、硝化槽容量１０ｍ３、ＨＲＴ１．５ｈｒ、返送汚泥量８２．５ｍ３／日）に硝化担体を投入して、表１に示した性状の原水を対象に処理実験を行った。実施例２との違いは、曝気を表面曝気方式で行っていることと、硝化槽気相部の圧力によって高濃度酸素ガスの供給量を制御している点である。
実験条件は次のとおりである。
供給した高濃度酸素ガスのＯ２濃度  ：８０〜９０％
高濃度ガス供給量                  ：１５〜２１Ｌ／ｍｉｎ
設定ＤＯ                          ：成り行き
設定排ガスＯ２濃度                ：成り行き
本比較例の制御方法は、曝気方式が異なる比較例２でも採用したが、本比較例のほうが制御は安定していた。これは、表面曝気方式の方が、硝化槽気相部の圧力変化が小さいためと推察される。ただし、表面曝気方式でも、水量変動に起因する圧力変化の影響は避けられず、排ガスの酸素濃度は４３〜５２％とやや安定しなかった。その結果、酸素利用効率は７５〜８２％とやや低く不安定であった。また、硝化槽のＤＯが１．２〜８．３ｍｇ／Ｌと大きく変動したため、処理水にＮＨ４−Ｎが６〜１３ｍｇ／Ｌ程度残留し、処理性能が不十分であった。
【００５３】
比較例４
高濃度酸素ガスの供給量を硝化槽混合液のＤＯで制御したこと以外は、比較例３と同じ条件で処理実験を行った。
実験条件は次のとおりである。
供給した高濃度酸素ガスのＯ２濃度  ：８０〜９０％
高濃度ガス供給量                  ：１５〜３８Ｌ／ｍｉｎ
設定ＤＯ                          ：７．５ｍｇ／Ｌ
設定排ガスＯ２濃度                ：成り行き
本比較例では、気相部の酸素濃度及び排ガスの酸素濃度は４３〜５７％であり、酸素利用効率は６９〜８２％とやや低く不安定であった。さらに、硝化槽のＤＯは、７．２〜７．８ｍｇ／Ｌ程度と硝化に有利なＤＯ条件に維持できたものの、表面曝気の攪拌によって硝化菌の担体への付着が阻害され、処理水にＮＨ４−Ｎが２〜４ｍｇ／Ｌ程度残留する結果となった。なお、比較例３の性能不良についても、このような付着阻害が一因として影響していたものと推察された。
【００５４】
比較例５
硝化槽混合液の設定ＤＯを、１．５ｍｇ／Ｌと低めに設定したこと以外は、実施例２と同じ条件で処理実験を行った。
実験条件は次のとおりである。
供給した高濃度酸素ガスのＯ２濃度  ：８０〜９０％
高濃度ガス供給量                  ：１０〜１９Ｌ／ｍｉｎ
設定ＤＯ                          ：１．５ｍｇ／Ｌ
設定排ガスＯ２濃度                ：４６％
曝気量                            ：２６〜４１ｍ３／ｈ
本比較例では、実際のＤＯは１．３〜１．８ｍｇ／Ｌであり、ＤＯ不足の影響で処理水にＮＨ４−Ｎが１２〜１６ｍｇ／Ｌ残留し、処理性能が不十分であった。
【００５５】
比較例６
硝化槽混合液の設定ＤＯを、１３ｍｇ／Ｌと高く設定したこと以外は、実施例２と同じ条件で処理実験を行った。
実験条件は次のとおりである。
供給した高濃度酸素ガスのＯ２濃度：８０〜９０％
高濃度ガス供給量      ：１９〜４０Ｌ／ｍｉｎ
設定ＤＯ              ：１３ｍｇ／Ｌ
設定排ガスＯ２濃度    ：４６％
曝気量                ：１１０〜２１５ｍ３／ｈ
本比較例では、実際のＤＯは１３ｍｇ／Ｌであり、処理水のＮＨ４−Ｎは０．２〜０．４ｍｇ／Ｌであり、処理性能は良好であったが、ＤＯを高く維持するためにブロワの動力がかかり、動力コストは実施例２の２倍になった。
【００５６】
比較例７
排ガス酸素濃度を２５％と低く設定したこと以外は、実施例２と同じ条件で処理実験を行った。
実験条件は次のとおりである。
供給した高濃度酸素ガスのＯ２濃度  ：８０〜９０％
高濃度ガス供給量                  ：１２〜１９Ｌ／ｍｉｎ
設定ＤＯ                          ：７．５ｍｇ／Ｌ
設定排ガスＯ２濃度                ：２５％
曝気量                            ：２５０ｍ３／ｈ
本比較例では、酸素利用効率は９３％以上ときわめて高い値を示した。しかし、排ガス酸素濃度を２５％と低く設定したために、硝化槽気相部の酸素濃度も低く、適性なＤＯ値に維持するために大風量で曝気する必要があった。ブロワの最大風量２５０ｍ３／ｈでも足りず、硝化槽混合液のＤＯを７．５ｍｇ／Ｌに維持できなかった。その結果、処理水にＮＨ４−Ｎが１２〜１９ｍｇ／Ｌ残留し、処理性能が不十分であった。また、多量の曝気を行ったため、硝化槽でスカムが大量に発生し、これが循環ブロワに吸引されて度々ブロワが停止するトラブルが生じた。
【００５７】
比較例８
排ガス酸素濃度を７８％と高く設定したこと以外は、実施例２と同じ条件で処理実験を行った。
実験条件は次のとおりである。
供給した高濃度酸素ガスのＯ２濃度  ：８０〜９０％
高濃度ガス供給量                  ：９７〜２１２Ｌ／ｍｉｎ
設定ＤＯ                          ：７．５ｍｇ／Ｌ
設定排ガスＯ２濃度                ：７８％
曝気量                            ：２１〜４３ｍ３／ｈ
本比較例では、硝化槽混合液のＤＯは、７．４〜７．７ｍｇ／Ｌと適正に維持できたため、処理水のＮＨ４−Ｎは０．２〜０．４ｍｇ／Ｌであり処理性能も良好であった。また、排ガス酸素濃度を７８％と高く設定したために、硝化槽気相部の酸素濃度も高く、適性なＤＯ値に維持するための風量は少なくて済み、動力コストは実施例２の６割程度であった。しかし、排ガスの酸素濃度が高いことから、酸素利用効率は２３％ときわめて低い値であった。処理試験の高濃度酸素ガスは、ＰＳＡ方式の装置で発生したガスを用いたが、比較例８の酸素利用効率が低かったことにより供給ガス量不足となり、並列で運転していた試験装置を停止せざるを得なかった。
これらの結果をまとめて表２と表３に示す。
【００５８】
【表２】
2011212670.tif 000004
【００５９】
【表３】
2011212670.tif 000005
【符号の説明】
【００６０】
１：排水、２、２’：硝化槽、３：沈殿池、４：処理水、５：硝化担体、６：返送汚泥、７：余剰汚泥、８、８’：散気管、９、９’：ブロワ、１０：高濃度酸素ガス、１１：排ガス、１２、１２’：硝化槽気相部ガス、１３、１３’：溶存酸素濃度計、１４：酸素濃度計、１５、１５’：ガス循環ライン、１６、１６’：制御装置、１７：流量調節弁、１８：制御装置、１９：攪拌機、２０：脱窒槽、２２：表面曝気機、２３：圧力計、２４、２４’：スクリーン、２５：気相連通部、２６：流量調節弁
【図１】
2011212670.tif 000006
【図２】
2011212670.tif 000007
【図３】
2011212670.tif 000008
【図４】
2011212670.tif 000009
【図５】
2011212670.tif 000010
【図６】
2011212670.tif 000011
【図７】
2011212670.tif 000012